(57)【要約】【課題】情報処理装置において、コンテンツ記録再生装置に確実にデータを記録再生することができ、高ビットレートのストリ−ミングコンテンツを確実に再生し、他の通信データの伝送にも影響を与えないようにする。【解決手段】情報処理装置において、コンテンツ記録再生専用として使用される第１の端子と、インターネットに接続され、一般データ通信に使用される第2の端子と、ストリーミングコンテンツ再生専用として使用される第３の端子を区別してそれぞれの端子を設けることにより、ブロードバンド放送等のストリーミングコンテンツの再生を確実に行なうことができ、他の通信データの伝送にも影響を与えないようにした。【選択図】図１
2007060360.tif 000002
【特許請求の範囲】
【請求項１】
コンテンツ記録再生専用として使用されるコンテンツ記録再生装置が接続された第１のネットワークに接続するための第１の端子と、
インターネットに接続され外部とデータ通信するための第２の端子と、
インターネットまたはストリーミングコンテンツの配信サーバーが接続された第２のネットワークに接続され、ストリーミングコンテンツを受信するための第３の端子と
を具備することを特徴とする情報処理装置。
【請求項２】
テレビジョン放送を受信するテレビジョン放送受信手段と、
前記テレビジョン放送受信手段が受信したテレビジョン放送の中に含まれる番組コンテンツと前記第３の端子を介して受信した前記ストリーミングコンテンツの記録をするときに、それぞれの伝送レートを認識する伝送状態認識手段と、
前記伝送状態認識手段の認識結果に基づいて前記番組コンテンツと前記ストリーミングコンテンツの一方の記録先を、前記第１の端子に接続されたコンテンツ記録再生装置と前記第２の端子に接続された記録再生装置の一方に振り分け、他方の記録先を残る他方の前記第１の端子に接続されたコンテンツ記録再生装置または前記第２の端子に接続された記録再生装置に振り分ける記録先選択手段と
を具備することを特徴とする請求項１記載の情報処理装置。
【請求項３】
前記伝送状態認識手段が、前記番組コンテンツと前記ストリーミングコンテンツの一方の伝送レートが他方よりも高いと認識した場合に、前記記録先選択手段が高いと認識されたコンテンツの記録先を前記第１の端子に接続されたコンテンツ記録再生装置とし、低いと認識されたコンテンツの記録先を前記第２の端子に接続された記録再生装置とすることを特徴とする請求項２記載の情報処理装置。
【請求項４】
前記第３の端子に接続されたインターネットまたはストリーミングコンテンツの配信サーバーが接続された第２のネットワークのインターネットプロトコルがＩＰｖ６（Internet Protocol version6）のみであることを特徴とする請求項１乃至請求項３記載の情報処理装置。
【請求項５】
前記第３の端子に入力されたストリーミングコンテンツを再生するための専用の操作キーを設けたことを特徴とする請求項１乃至請求項３記載の情報処理装置。
【請求項６】
前記第３の端子に入力されたストリーミングコンテンツを再生するための専用の操作キーをリモートコントローラに設けたことを特徴とする請求項１乃至請求項３記載の情報処理装置。
【請求項７】
コンテンツ記録再生専用として使用されるコンテンツ記録再生装置が接続されたネットワークに接続するための第１の端子と、インターネットに接続され外部とデータ通信するための第２の端子と、インターネットまたはストリーミングコンテンツの配信サーバーが接続した第２のネットワークに接続され、ストリーミングコンテンツを受信するための第３の端子と、テレビジョン放送を受信するテレビジョン放送受信手段とを備える情報処理装置に用いられ、
前記テレビジョン放送受信手段が受信したテレビジョン放送の中に含まれる番組コンテンツと前記第３の端子を介して受信した前記ストリーミングコンテンツの記録をするときに、それぞれの伝送レートを認識する伝送状態認識ステップと、
前記伝送状態認識手段の認識結果に基づいて前記番組コンテンツと前記ストリーミングコンテンツの一方の記録先を、前記第１の端子に接続されたコンテンツ記録再生装置と前記第２の端子に接続された記録再生装置の一方に振り分け、他方の記録先を残る他方の前記第１の端子に接続されたコンテンツ記録再生装置または前記第２の端子に接続された記録再生装置に振り分ける記録先選択ステップと
を具備することを特徴とする記録制御方法。
【請求項８】
前記伝送状態認識ステップにおいて、前記伝送状態認識手段が前記番組コンテンツと前記ストリーミングコンテンツの一方の伝送レートが他方よりも高いと認識した場合に、前記記録先選択ステップにおいて、記記録先選択手段が高いと認識されたコンテンツの記録先を前記第１の端子に接続されたコンテンツ記録再生装置とし、低いと認識されたコンテンツの記録先を前記第２の端子に接続された記録再生装置とすることを特徴とする請求項７記載の記録制御方法。
【発明の詳細な説明】
【技術分野】
【０００１】
この発明は、例えばブロードバンド放送によるストリーミング再生が可能で、かつ、同時に番組記録再生が可能なネットワーク対応の映像記録再生装置を外部接続可能なデジタルテレビ受信機等の情報処理装置に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
一方ＡＤＳＬ（Asymmetric Digital Subscriber Line）やＦＴＴＨ（Fiber To The Home）等の環境整備により、高速なインターネットのネットワークサービス、いわゆるブロードバンドの普及が進展している。映像や音声などのマルチメディアデータを視聴者が視聴する際に、データを受信しながらリアルタイムに再生を行なうストリーミング再生が、ブロードバンドによって可能となり、その拡充に伴ってネットワークを通じて高画質な映像を利用できる環境が整いつつある。
【０００４】
前述したデジタルテレビジョン放送を受信するデジタルテレビジョン放送受信装置にあっては、例えばＬＡＮ（Local Aria Network）端子を搭載してインターネットなど外部へのネットワーク接続機能が装備され、イーサネット（登録商標）のＬＡＮケーブル経由でブロードバンドによるストリーミング放送やＶＯＤ（Video On Demand）などの番組コンテンツを再生したりすることが可能となっている。
【０００５】
しかしながら、一般データ通信に用いる汎用ネットワークは、デジタルテレビジョン放送受信装置のＬＡＮ端子からハブやルータを通りＩＳＰ（Internet Services Provider）を経由してインターネットに接続されており、ブロードバンドとは言え、通信回線の環境条件が高ビットレートのデータ通信に常に適した条件になっているとは限らない。インターネット上でストリーミングコンテンツの配信を行っているサーバーやＩＳＰ、ＡＤＳＬやＦＴＴＨ事業者のネットワークへのアクセス集中による通信速度の低下などにより、ストリーミング放送を安定して再生できなくなる場合がある。ストリーミング放送が高ビットレートになるほど、影響を受ける可能性も高くなると考えられる。
【０００６】
以上のように、ストリーミング放送は通信回線の環境条件などによって、フレーム落ちが発生したり、或いは映像が一時的に止まってしまう場合がある。デジタルテレビジョン放送受信装置にあっては、ＬＡＮ端子に接続されるネットワーク環境によっては、回線品質が安定せず、特にＤＶＤ（Digital Versatile Disk）画質の映像信号のような数M〜数十Ｍｂｐｓ（Mega Bits Per Second）である高ビットレートのデータを高品位に再生できなくなる場合がある。また、そのデータ伝送によって他の通信処理に悪影響を与えることもある。
【０００７】
上記のような外部のネットワークの通信回線の品質の問題を解消する方法として、ＤＶＤ画質の映像信号のような高ビットレートのデータを安定して受信し再生するために、地域ＩＰ網を用いたストリーミング放送が開始されている。
【０００８】
一方、一般の視聴者においては、インターネットに接続するときに、ブロードバンドルータとハブを介することで、ＡＤＳＬ或いはＦＴＴＨ等の回線を複数のＰＣ、ＮＡＳ（Network Attached Storage）やデジタルテレビジョン放送受信装置によって共有することができ便利であるが、ブロードバンドルータのＮＡＴ（Network Address Translation）機能等の性能によって、スループットがＷＡＮ（Wide Area Network）側回線の速度より低い場合には、実効速度の低下を招く場合がある。このため、ＤＶＤ画質の映像信号のような高ビットレートのデータを安定して受信し再生するためには、ブロードバンドルータのスループットの性能が高いものを選定するように注意する必要がある。
【０００９】
さらに、デジタルテレビジョン放送受信装置のＬＡＮ端子に接続されるブロードバンドルータやハブに大きなトラフィックが伝送されている場合、例えば、同じブロードバンドルータとハブに接続したＰＣが高ビットレートの映像信号を外部のネットワークとの間でデータ伝送しているような場合、デジタルテレビジョン放送受信装置は高ビットレートのストリーミング放送を安定して再生できなくなる場合がある。また逆に、デジタルテレビジョン放送受信装置のデータ伝送によるトラフィックによって、ＰＣ側のデータ伝送に悪影響を及ぼすという問題もある。
【００１０】
尚、ＬＡＮ端子を装備し、ストリーミング放送の再生が可能なデジタルテレビジョン放送受信装置については、特許文献１に記載されている。しかしながら、この文献に記載のものは、ＤＶＤ画質の映像信号のような高ビットレートのデータを安定して受信し再生しようとする時に、ＷＡＮ側及びＬＡＮ側における回線品質の問題については想定されていない。
【特許文献１】特開２００４−１３４８４７号公報
【発明の開示】
【発明が解決しようとする課題】
【００１１】
以上述べたように、従来のネットワーク対応の情報処理装置では、ＤＶＤ画質の映像信号のように所定の高ビットレートのデータが要求されるストリーミングコンテンツを再生しようとすると、ネットワーク環境によっては再生不能となったり、同一ネットワーク上の他のデータ伝送に悪影響を与えたりする場合があった。
【００１２】
そこで、この発明は上記事情を考慮してなされたもので、コンテンツ記録再生専用として使用されるコンテンツ記録再生装置に、確実に高ビットレートのデータを伝送することができ、外部ネットワークからの高ビットレートのストリ−ミングコンテンツを確実に再生し、他の通信データの伝送にも影響を与えないようにすることが可能な情報処理装置を提供することを目的とする。
【課題を解決するための手段】
【００１３】
この発明に係る情報処理装置は、コンテンツ記録再生専用として使用されるコンテンツ記録再生装置が接続された第１のネットワークに接続するための第１の端子と、インターネットに接続され外部とデータ通信するための第２の端子と、インターネットまたはストリーミングコンテンツの配信サーバーが接続された第２のネットワークに接続され、ストリーミングコンテンツを受信するための第３の端子とを具備することを特徴とする。
【発明の効果】
【００１４】
上記した発明によれば、コンテンツ記録再生装置に確実に記録再生することができ、ストリーミングコンテンツを安定して再生することができ、他の通信データの伝送にも影響を与えないようにすることが可能な情報処理装置を提供することができる。
【発明を実施するための最良の形態】
【００１５】
以下、この発明の実施の形態について図面を参照して詳細に説明する。
【実施例１】
【００１６】
図１は、この実施の形態で説明する情報処理装置としてのデジタルテレビジョン放送受信装置１１の外観と、このデジタルテレビジョン放送受信装置１１を中心として構成されるネットワークシステムの一例を概略的に示している。
【００１７】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１８】
また、このデジタルテレビジョン放送受信装置１１には、ＳＤ（Secure Digital）メモリカード（登録商標）等の第１のメモリカード１９が着脱可能となっており、この第１のメモリカード１９に対して番組や写真等の情報の記録再生が行なわれるようになっている。
【００１９】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００２０】
また、このデジタルテレビジョン放送受信装置１１は、第１のＬＡＮ端子２１、第２のＬＡＮ端子２２、第３のＬＡＮ端子２３、ＵＳＢ（Universal Serial Bus）端子２４及びｉ．Ｌｉｎｋ（登録商標）端子２５を備えている。
【００２１】
このうち、第１の端子としての第１のＬＡＮ端子２１は、主にコンテンツ記録再生専用とするコンテンツ記録再生装置が接続された第１のネットワークに接続されるＬＡＮ端子である。第１のＬＡＮ端子２１はＬＡＮ対応ＨＤＤ専用ポートとして使用されるもので、接続されたＮＡＳ（Network Attached Storage）であるＬＡＮ対応のＨＤＤ２６に対して、イーサネット（登録商標）により情報の記録再生を行なうために使用される。
【００２２】
ＬＡＮ対応ＨＤＤ専用ポートとしての第１のＬＡＮ端子２１を設けることにより、他のネットワーク環境やネットワーク使用状況等に影響されることなく、ＨＤＤ２６に対して確実に高ビットレートのデータを伝送することができ、コンテンツの記録を安定して行うことができる。
【００２３】
第２の端子としての第２のＬＡＮ端子２２は、インターネットに接続され外部と一般的なデータ通信をするために用いられる。イーサネット（登録商標）を用いた一般データ通信に用いる汎用ネットワークに接続されるＬＡＮ対応ポートとして使用されるもので、例えばハブ２７を介して、ＬＡＮ対応のＨＤＤ２８、ＰＣ（Personal Computer）２９、ＨＤＤ内蔵のＤＶＤ（Digital Versatile Disk）レコーダ３０等の機器を接続し、これらの機器と情報伝送を行なうために使用される。ＰＣ２９に記録された放送の番組やビデオ映像をデジタルテレビジョン放送受信装置１１の映像表示器１４で見ることができる。
【００２４】
尚、ＤＶＤレコーダ３０については第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３１を設ける必要がある。
【００２５】
さらに、この第２のＬＡＮ端子２２は、ハブ２７に接続されたブロードバンドルータ３２を介して、例えばインターネット等のネットワーク３３ａに接続し、そのネットワーク３３ａを介してＰＣ３４や携帯電話３５等と情報伝送を行なうために使用される。また、インターネットのサイトにアクセスしデジタルテレビジョン放送受信装置１１の映像表示器１４で見たり、Ｅメールの送受信を映像表示器１４を見ながら行うことができる。
【００２６】
第３の端子としての第３のＬＡＮ端子２３は、インターネットまたはストリーミングコンテンツの配信サーバーが接続した第２のネットワークに接続され、ストリーミングコンテンツを受信するために専用に設けられたＬＡＮ端子である。第３のＬＡＮ端子２３は第２のネットワーク３３ｂに接続され、例えばＩＰｖ６に対応した外部ネットワークからのブロードバンド放送によるストリーミング再生を行なうために使用される。
【００２７】
なお、この第３のＬＡＮ端子２３は、例えばＩＰｖ６対応地域ＩＰ網等の第２のネットワーク３３ｂに接続し、そのネットワーク３３ｂを介して、ストリーミングコンテンツのコンテンツ配信サーバー３６等と情報伝送を行なうために使用される。
【００２８】
第３のＬＡＮ端子は他のＨＤＤ２８、ＰＣ２９やＤＶＤレコーダ３０等が接続しているブロードバンドルータ３２を経由せず、外部の第２のネットワーク３３ｂと接続している。それによって例えば、ＰＣ２９が高ビットレートの映像信号を外部のネットワーク３３ａとの間で伝送するような場合においてもその影響を受けないようにすることができる。逆に、他のＨＤＤ２８、ＰＣ２９やＤＶＤレコーダ３０等と外部のネットワークとのデータ伝送に影響を及ぼすことがない。
【００２９】
このように、ブロードバンド放送のストリーミングコンテンツ専用ポートとしての第３のＬＡＮ端子２３を設けることにより、他のネットワーク環境やネットワーク使用状況等に影響されることなく、外部ネットワークからのＤＶＤ並みの高画質による番組の再生を安定して行なうことができる。
【００３０】
尚、第２図に示すように第３のＬＡＮ端子２３は、ハブ３７を介して、例えばＩＰｖ６対応地域ＩＰ網等の第２のネットワーク３３ｃに接続し、その第２のネットワーク３３ｃを介して、ストリーミングコンテンツのコンテンツ配信サーバー３６等と情報伝送を行なうために使用される場合もある。この場合でもブロードバンドルータ３２やハブ２７を経由せず、外部の第２としてのネットワーク３３ｃと接続しており、ＨＤＤ２８、ＰＣ２９やＤＶＤレコーダ３０等の伝送の影響を受けない。
【００３１】
また、上記ＵＳＢ端子２４は、一般的なＵＳＢ対応ポートとして使用されるもので、例えばハブ３８を介して、携帯電話３９、デジタルカメラ４０、メモリカードに対するカードリーダ／ライタ４１、ＨＤＤ４２、キーボード４３等のＵＳＢ機器を接続し、これらのＵＳＢ機器と情報伝送を行なうために使用される。
【００３２】
さらに、ｉ．Ｌｉｎｋ（登録商標）端子２５は、例えばＡＶ−ＨＤＤ（Audio Visual−HDD）４４、Ｄ−ＶＨＳ（Digital−Video Home System）４５等をシリアル接続し、これらの機器と情報伝送を行なうために使用される。
【００３３】
図３は、上記したデジタルテレビジョン放送受信手段としてのデジタルテレビジョン放送受信装置１１の主要な信号処理系を示している。すなわち、ＢＳ／ＣＳデジタル放送受信用のアンテナ４６で受信した衛星デジタルテレビジョン放送信号は、入力端子４７を介して衛星デジタル放送用のチューナ４８に供給されることにより、所望のチャンネルの放送信号が選局される。
【００３４】
そして、このチューナ４８で選局された放送信号は、ＰＳＫ（Phase Shift Keying）復調器４９に供給されて、デジタルの映像信号及び音声信号に復調された後、信号処理部５０に出力される。
【００３５】
また、地上波放送受信用のアンテナ５１で受信した地上デジタルテレビジョン放送信号は、入力端子５２を介して地上デジタル放送用のチューナ５３に供給されることにより、所望のチャンネルの放送信号が選局される。
【００３６】
そして、このチューナ５３で選局された放送信号は、ＯＦＤＭ（Orthogonal Frequency Division Multiplexing）復調器５４に供給されて、デジタルの映像信号及び音声信号に復調された後、前記信号処理部５０に出力される。
【００３７】
また、上記地上波放送受信用のアンテナ５１で受信した地上アナログテレビジョン放送信号は、入力端子５２を介して地上アナログ放送用のチューナ５５に供給されることにより、所望のチャンネルの放送信号が選局される。そして、このチューナ５５で選局された放送信号は、アナログ復調器５６に供給されてアナログの映像信号及び音声信号に復調された後、上記信号処理部５０に出力される。
【００３８】
ここで、上記信号処理部５０は、ＰＳＫ復調器４９及びＯＦＤＭ復調器５４からそれぞれ供給されたデジタルの映像信号及び音声信号に対して、選択的に所定のデジタル信号処理を施し、グラフィック処理部５７及び音声処理部５８に出力している。
【００３９】
また、上記信号処理部５０には、複数（図示の場合は４つ）の入力端子５９ａ，５９ｂ，５９ｃ，５９ｄが接続されている。これら入力端子５９ａ〜５９ｄは、それぞれ、アナログの映像信号及び音声信号を、デジタルテレビジョン放送受信装置１１の外部から入力可能とするものである。
【００４０】
そして、この信号処理部５０は、上記アナログ復調器５６及び各入力端子５９ａ〜５９ｄからそれぞれ供給されたアナログの映像信号及び音声信号を選択的にデジタル化し、そのデジタル化された映像信号及び音声信号に対して所定のデジタル信号処理を施した後、グラフィック処理部５７及び音声処理部５８に出力している。
【００４１】
このうち、グラフィック処理部５７は、信号処理部５０から供給されるデジタルの映像信号に、ＯＳＤ（On Screen Display）信号生成部６０で生成されるＯＳＤ信号を重畳して出力する機能を有する。このグラフィック処理部５７は、信号処理部５０の出力映像信号と、ＯＳＤ信号生成部６０の出力ＯＳＤ信号とを選択的に出力すること、また、両出力をそれぞれ画面の半分を構成するように組み合わせて出力することができる。
【００４２】
そして、グラフィック処理部５７から出力されたデジタルの映像信号は、映像処理部６１に供給される。この映像処理部６１は、入力されたデジタルの映像信号を、前記映像表示器１４で表示可能なフォーマットのアナログ映像信号に変換したり、表示色を任意に調整したりして、映像表示器１４に出力して映像表示させるとともに、出力端子６２を介して外部に導出させる。この映像処理部６１はリモコン１７からの指示に応答して、制御部６４の制御の基に色調整が可能で、自動色調整モードとユーザが好みによって調整する手動調整モードで動作可能である。
【００４３】
また、上記音声処理部５８は、入力されたデジタルの音声信号を、前記スピーカ１５で再生可能なフォーマットのアナログ音声信号に変換した後、スピーカ１５に出力して音声再生させるとともに、出力端子６３を介して外部に導出させる。
【００４４】
ここで、このデジタルテレビジョン放送受信装置１１は、上記した各種の受信動作を含むその全ての動作を制御部６４によって統括的に制御されている。この制御部６４は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００４５】
この場合、制御部６４は、主として、そのＣＰＵが実行する制御プログラムを格納したＲＯＭ（Read Only Memory）６５と、該ＣＰＵに作業エリアを提供するＲＡＭ（Random Access Memory）６６と、各種の設定情報及び制御情報等が格納される不揮発性メモリ６７とを利用している。
【００４６】
また、この制御部６４は、カードＩ／Ｆ（Interface）６８を介して、前記第１のメモリカード１９が装着可能なカードホルダ６９に接続されている。これによって、制御部６４は、カードホルダ６９に装着された第１のメモリカード１９と、カードＩ／Ｆ６８を介して情報伝送を行なうことができる。
【００４７】
さらに、上記制御部６４は、カードＩ／Ｆ７０を介して、前記第２のメモリカード２０が装着可能なカードホルダ７１に接続されている。これにより、制御部６４は、カードホルダ７１に装着された第２のメモリカード２０と、カードＩ／Ｆ７０を介して情報伝送を行なうことができる。
【００４８】
また、上記制御部６４は、通信Ｉ／Ｆ７２を介して第１のＬＡＮ端子２１に接続されている。これにより、制御部６４は、第１のＬＡＮ端子２１に接続されたＬＡＮ対応のＨＤＤ２６と、通信Ｉ／Ｆ７２を介して情報伝送を行なうことができる。
【００４９】
また、上記制御部６４は、通信Ｉ／Ｆ７３を介して第２のＬＡＮ端子２２に接続されている。これにより、制御部６４は、第２のＬＡＮ端子２２に接続された各機器、例えばＨＤＤ２８、ＰＣ２９、ＤＶＤレコーダ３０、さらにブロードバンドルータ３２を経由して接続されたネットワーク３３ａ上にあるＰＣ３４、携帯電話３５等の機器（図１参照）と、通信Ｉ／Ｆ７３を介して情報伝送を行なうことができる。
【００５０】
さらに、上記制御部６４は、通信Ｉ／Ｆ７４を介して第３のＬＡＮ端子２３に接続されている。これにより、制御部６４は、第３のＬＡＮ端子２３に接続されたネットワーク３３ｂ上にあるコンテンツ配信サーバー３６等の機器（図１参照）と、通信Ｉ／Ｆ７４を介して情報伝送を行なうことができる。
【００５１】
また、上記制御部６４は、ＵＳＢ Ｉ／Ｆ７５を介して前記ＵＳＢ端子２４に接続されている。これにより、制御部６４は、ＵＳＢ端子２４に接続された各機器（図１参照）と、ＵＳＢ Ｉ／Ｆ７５を介して情報伝送を行なうことができる。
【００５２】
さらに、上記制御部６４は、ｉ．Ｌｉｎｋ（登録商標）Ｉ／Ｆ７６を介してｉ．Ｌｉｎｋ端子２５に接続されている。これにより、制御部６４は、ｉ．Ｌｉｎｋ端子２５に接続された各機器（図１参照）と、ｉ．Ｌｉｎｋ Ｉ／Ｆ７６を介して情報伝送を行なうことができる。
【００５３】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、ブロードバンド放送選択用操作キー１７ｚ等が設けられている。ブロードバンド放送選択用操作キー１７ｚは前記第３の端子を介して受信したストリーミングコンテンツ再生専用の操作キーである。
【００５４】
ブロードバンド放送によるストリーミング放送を視聴するには、操作部１６に設けられた第３の端子を介して受信したストリーミングコンテンツ再生専用のブロードバンド放送選択用操作キー１６ａ（図示せず）を押下するかまたはリモートコントローラ１７のブロードバンド放送選択用操作キー１７ｚを押下する。このブロードバンド放送選択用操作キー１７ｚを押下することによって、他の放送（ＢＳ／ＣＳデジタル放送、地上デジタル放送、地上アナログ放送等）から第３のＬＡＮ端子に接続されたストリーミング放送に面倒な操作無しに簡単に画面の表示と音声等を切り替えることができる。また、逆にストリーミング放送の再生中に、例えば地上波放送チャンネルのダイレクト選局キー１７ｄを押下すれば、地上波放送チャンネルに簡単に切り替えられる。従って視聴者はテレビジョン放送とネットワークによるブロードバンド放送の区別を意識することなく選択することができ、たいへん便利である。
【００５５】
また、ブロードバンド放送によるストリーミング放送を視聴するには、faceネット（ナビゲーション）キー１７ｊを押下し、映像表示器１４に表示されたナビゲーションメニューを選択することによっても視聴することができる。
【００５６】
以上のように、上記受信装置１１には、第１及び第２のメモリカード１９，２０を装着するためのカードホルダ６９、７１、主にコンテンツ記録再生専用とする専用ネットワークに接続される、例えばＮＡＳ接続専用の第１のＬＡＮ端子２１、インターネットに接続され、一般データ通信に用いる汎用ネットワークを介して一般のネットワーク対応映像機器と接続するための第２のＬＡＮ端子２２、ストリーミングコンテンツが配信されているインターネット、地域ＩＰ網またはまたはストリーミングコンテンツの配信サーバーが接続された第２のネットワークに接続され、ストリーミングコンテンツ受信および再生専用として使用される第３のＬＡＮ端子２３の他、各種映像機器を接続するためのＵＳＢ端子２４及びｉ．Ｌｉｎｋ（登録商標）端子２５を備え、いずれも制御部６４によって接続状態が管理されている。これらのホルダまたは端子に映像機器を接続する場合には、手動または自動によって「どこ」に「何」が「いつ」接続されているかを示す接続情報が制御部６４の不揮発性メモリ６７に設定登録される。
【００５７】
また、第３のＬＡＮ端子を介して受信したストリーミングコンテンツを再生する場合に、その再生が有料放送である場合は、制御部６４の不揮発メモリ６７に再生開始・再生終了日時、チャンネル番号、タイトル、課金額等を一定期間記憶しておき、視聴者の操作に応じてそれらの再生履歴を映像表示器に表示し、課金額を確認できるようにしてもよい。また再生履歴は一定期間を過ぎると消去されるがその期間は１ヵ月〜６ヵ月間の範囲で設定可能であるようにしてもよい。
【００５８】
上記構成によるデジタル放送受信装置において、以下、図５に示すフローチャートを参照して記録先制御について説明する。ここでは、例として、第１のＬＡＮ端子（ここではコンテンツ記録再生専用の専用ネットワーク接続とする）２１に接続されるＤＶＤ画質或いはハイビジョン画質の映像信号を記録可能なＬＡＮ対応ＨＤＤ２６と第２のＬＡＮ端子（ここでは上記専用ネットワーク接続に対して汎用ネットワーク接続とする）２２にハブ２７を介して接続されるＬＡＮ対応ＨＤＤ２８とがいずれも記録可能な状態にあり、通常は汎用ネットワーク側のＨＤＤ２８を選択して記録し、ＤＶＤ／ハイビジョン画質の映像信号は専用ネットワーク側のＨＤＤ２６を選択して記録するモードに設定してあるものとする。
【００５９】
ＬＡＮ接続機器の機能については、接続設定時に、機器識別情報、記録位置（パス）情報と共に、図３に示した制御部６４の不揮発性メモリ６７に登録される。これにより、記録再生装置である上記ＬＡＮ対応ＨＤＤ２６，２８が第１の端子２１、第２の端子２２のどちらに接続されているかといった記録再生装置の接続状態が制御部６４で認識される。
【００６０】
また、制御部６４は、コンテンツの記録における伝送モードや伝送レートの状態を認識する機能としての伝送状態認識手段や、その認識結果に基づいて、第１の端子２１に接続されたＨＤＤ２６または第２の端子にハブ２７を経由して接続されたＨＤＤ２８に記録するかを選択し自動的に決定する機能である記録先選択手段を有している。更に、制御部６４はデジタルテレビジョン放送受信装置１１内のトラフィックの状態を認識している。
【００６１】
上記の事前設定後、記録コンテンツが入力されたことを判別すると（ステップＳ６ａ）、その記録コンテンツにテレビジョン放送に含まれる番組コンテンツが含まれているかを判別する（ステップＳ６ｂ）。テレビジョン放送による番組コンテンツが含まれていれば、次に第３のＬＡＮ端子を介して受信したストリーミングコンテンツが含まれているかを判別する（ステップＳ６ｃ）。ステップＳ６ｂにてテレビジョン放送による番組コンテンツが含まれていなければ、ステップＳ６ｉに進む。ステップＳ６ｃにてストリーミングコンテンツが含まれていれば、ステップＳ６ｄに進む。
【００６２】
ステップＳ６ｄでは、テレビジョン放送による番組コンテンツとストリーミングコンテンツの伝送レート（ビットレート）でどちらが高いかを判定する。伝送レートの高い方の記録コンテンツを第１の端子２１に接続されたコンテンツ記録再生装置であるＨＤＤ２６へ記録し、もう一方を第２の端子にハブ２７を経由して接続された記録再生装置であるＨＤＤ２８に記録する。テレビジョン放送のコンテンツの方が高ければテレビジョン放送のコンテンツをＨＤＤ２６へ記録し（ステップＳ６ｅ）、ストリーミングコンテンツをＨＤＤ２８に記録する（ステップＳ６ｆ）。また逆の場合はステップＳ６ｇ、ステップＳ６ｈとなる。記録開始後はステップＳ６ｏに進む。
【００６３】
以上のように記録コンテンツが複数あり、記録が平行して実行される状況においては、伝送レートの高いと認識された方を第１のＬＡＮ端子に接続された専用ＬＡＮ側ＨＤＤ２６に振り向ける。逆に低いと認識された方は第２のＬＡＮ端子に接続されたＨＤＤ２８に振り向ける。記録コンテンツがテレビジョン放送によるコンテンツだけである場合や、ストリーミングコンテンツだけである場合はステップＳ６ｉに進む。
【００６４】
ステップ６ｉでは、ビットレートが閾値以上かを認識し判断する。この閾値は、ＤＶＤ／ハイビジョン画質の映像信号のビットレートに対応させておく。これにより、ＤＶＤ／ハイビジョン画質の映像コンテンツが入力された場合には、ビットレートが閾値以上となるため、専用ＬＡＮ側のＨＤＤ２６で記録を開始する（ステップＳ６ｊ）。ビットレートが閾値に満たない場合には、汎用ＬＡＮ側のＨＤＤ２８で記録を開始する（ステップＳ６ｋ）。
【００６５】
ここで、上記ステップＳ６ｋで、汎用ＬＡＮ側のＨＤＤ２８への記録が開始された場合、ステップＳ６ｌにて記録終了を監視し、記録が継続している場合には、ステップＳ６ｍでＱｏＳ（Quality of Service：回線サービス品質）が低下してビットレートが閾値以下になっているかを監視し、ステップＳ６ｎで記録中のＨＤＤ２８の記憶領域の残量を監視する。記録中にＱｏＳが閾値以下となる、または記憶領域の残量がなくなるといった状況になった場合には、ＱｏＳが確保されている専用ＬＡＮ側のＨＤＤ２６に記録先を自動的に切り替え、記録が途絶えないように記録先を制御する（ステップＳ６ｊ）。ステップＳ６ｌで記録が終了した場合には、ステップＳ６ａに戻って、次の記録コンテンツの入力待ちとする。
【００６６】
上記ステップＳ６ｊで専用ＬＡＮ側ＨＤＤ２６の記録が開始された場合には、ステップＳ６ｏで記録終了を監視する。記録が継続している場合には、当該ＨＤＤ２６に外部からのアクセスがあるか監視し（ステップＳ６ｐ）、外部アクセスがあった場合には、記録中を理由にアクセス不許可とする（ステップＳ６ｑ）。ステップＳ６ｏでＨＤＤ２６の記録終了が検出された後に、当該ＨＤＤ２６に外部からアクセスがあった場合にはこれを検知して（ステップＳ６ｒ）、アクセス許可を通知する（ステップＳ６ｓ）。その後、ステップＳ６ａに戻り、次の記録コンテンツの入力待ちとなる。
【００６７】
ここで、上記のように専用ネットワーク対応の第１の端子２１、汎用ネットワーク対応の第２の端子２２、ストリーミングコンテンツ再生専用の第３の端子を区別している場合、それぞれのＬＡＮ接続機器の設定登録時、記録先指定時などでユーザに３種の端子の役割が判断可能なように、各端子の表示を区別しておくことが望ましい。図６に機器選択のメニュー表示例を示す。ここでは、第１の端子２１に接続されるネットワークを「ＬＡＮ１」とし、ＨＤＤマークに「Common」を表記する。一方、第２の端子２２に接続されるネットワークを「ＬＡＮ２」とし、ＨＤＤマークに「Common Folder」を表記する。これにより、ユーザは機器選択時に専用ネットワーク側のＨＤＤ２６と汎用ネットワーク側のＨＤＤ２８を誤認しないようにすることができる。
【００６８】
したがって、上記構成によるデジタルテレビジョン放送受信装置１１では、コンテンツ記録専用の専用ネットワークである第１のネットワークと一般通信にも利用する汎用ネットワークとを区別してそれぞれのＬＡＮ端子を設け、ＤＶＤ／ハイビジョン画質の映像信号の記録用に専用ネットワーク側の記録機器を自動的に選択するようにしているので、ネットワーク環境が原因で記録できなかったＤＶＤ／ハイビジョン画質の映像信号を記録することができるようになる。ここで、専用ネットワーク側の第１の端子２１に、接続したＬＡＮ対応ＨＤＤ２６の自動登録機能を備えるようにすれば、ＬＡＮケーブルを用いてそのＨＤＤ２６を接続しただけで、記録先として自動的に記録パスを登録することも可能である。
【００６９】
また、コンテンツを記録する際に、ＤＶＤ／ハイビジョンあるいはビットレートが高いコンテンツを自動的に判断して、専用ネットワーク側の端子に接続されたＨＤＤ２６に記録するように制御できるので、ビットレートが高いコンテンツも、汎用ネットワークの障害を回避して専用ネットワーク側のＨＤＤ２６に記録先を変更することが可能となる。
【００７０】
また、汎用ネットワーク側に接続されたＨＤＤ２８に記録している際に、記録しているコンテンツのＱｏＳが低下して記録不能となった場合にも、これを自動的に検知して専用ネットワーク側のＨＤＤ２６に記録先を変更する機能を有している。この機能を備えることで、汎用ネットワーク側のＨＤＤ２８への記録速度が低下し、最悪記録ができなくなっても、専用ネットワーク側のＨＤＤ２６に記録先を変更することができる。
【００７１】
また、汎用ネットワーク側に接続されたＨＤＤ２８に記録している際に、そのＨＤＤ２８の記録容量がなくなった場合でも、これを自動的に検知して専用ネットワーク側のＨＤＤ２６に記録先を変更する機能を有している。この機能を備えることで、汎用ネットワーク側のＨＤＤ２８で残量以上のコンテンツを記録するような状態となっても、記録容量がなくなった時点で専用ネットワーク側のＨＤＤ２６に記録先を変更することができる。
【００７２】
さらに、専用ネットワーク側ＨＤＤ２６の記録中でＱｏＳを低下させないために、ゲートウェイ機能を持たせている。これにより、専用ネットワーク側のＨＤＤ２６に記録している最中に外部から当該ＨＤＤ２６へのアクセス要求があっても、これを制限してＱｏＳ低下を防ぎ、記録を行っていないときのみアクセス要求を受け付けられるようになり、専用ネットワーク側のＨＤＤ２６の有効利用を図ることができる。
【００７３】
上記構成によるデジタルテレビジョン放送受信装置では、コンテンツ記録再生専用の専用ネットワークである第１のネットワークに接続され、コンテンツ記録再生専用として使用される第１のＬＡＮ端子と、インターネットおよび一般データ通信の汎用ネットワークに接続され、一般データ通信に使用される第2のＬＡＮ端子と、インターネットまたはストリーミングコンテンツの配信サーバーが接続された第２のネットワークに接続され、ストリーミングコンテンツのみを受信し再生するための第３のＬＡＮ端子を区別してそれぞれのＬＡＮ端子を設け、この機能を備えることで、ＤＶＤ／ハイビジョン画質の映像信号を確実に記録することができ、且つブロードバンド放送等によるストリーミングコンテンツ再生は他のネットワークの影響を受けず確実に再生することができると共に一般のデータ通信のネットワークに接続した各種機器のデータ通信に対して影響を与えないようにすることができる。
【００７４】
以上、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７５】
【図１】本発明の一実施例の形態を示すもので、デジタルテレビジョン放送受信装置とそれを中心として構成されるネットワークシステムを概略的に示す構成図。
【図２】同実施の形態におけるデジタルテレビジョン放送受信装置とそれを中心として構成されるネットワークシステムを概略的に示す構成図の変形例。
【図３】同実施の形態におけるデジタルテレビジョン放送受信装置の主要な信号処理系を説明するために示すブロック構成図。
【図４】同実施の形態におけるデジタルテレビジョン放送受信装置のリモートコントローラを説明するために示す外観図。
【図５】同実施の形態におけるデジタルテレビジョン放送受信装置の記録先制御を示すフローチャート。
【図６】同実施の形態におけるデジタルテレビジョン放送受信装置の機器選択のメニュー表示例を示す図。
【符号の説明】
【００７６】
１１  デジタルテレビジョン放送受信装置、
１２  キャビネット、
１３  支持台、
１４  映像表示器、
１５  スピーカ、
１６  操作部、
１７  リモートコントローラ、
１８  受光部、
２１  第１のＬＡＮ端子、
２２  第２のＬＡＮ端子、
２３  第３のＬＡＮ端子、
２４  ＵＳＢ端子、
２５  ｉ．Ｌｉｎｋ（登録商標）端子、
２６  ＨＤＤ、
２７  ハブ、
２８  ＨＤＤ、
２９  ＰＣ、
３０  ＤＶＤレコーダ、
３２  ブロードバンドルータ、
３３ａ  ネットワーク、
３３ｂ  第２のネットワーク、
３３ｃ  第２のネットワーク、
３６  ストリーミングコンテンツ配信サーバー、
４６  アンテナ、
４７  入力端子、
４８  チューナ、
４９  ＰＳＫ復調器、
５０  信号処理部、
５１  アンテナ、
５２  入力端子、
５３  チューナ、
５４  ＯＦＤＭ復調器、
５５  チューナ、
５６  アナログ復調器、
５７  グラフィック処理部、
５８  音声処理部、
５９ａ〜５９ｄ  入力端子、
６０  ＯＳＤ信号生成部、
６１  映像処理部、
６２  出力端子、
６３  出力端子、
６４  制御部、
６５  ＲＯＭ、
６６  ＲＡＭ、
６７  不揮発性メモリ、
６８  カードＩ／Ｆ（Interface）、
６９  カードホルダ、
７０  カードＩ／Ｆ、
７１  カードホルダ、
７２  通信Ｉ／Ｆ、
７３  通信Ｉ／Ｆ、
７４  通信Ｉ／Ｆ、
７５  ＵＳＢ Ｉ／Ｆ、
７６  ｉ．Ｌｉｎｋ（登録商標）Ｉ／Ｆ。
【図１】
2007060360.tif 000003
【図２】
2007060360.tif 000004
【図３】
2007060360.tif 000005
【図４】
2007060360.tif 000006
【図５】
2007060360.tif 000007
【図６】
2007060360.tif 000008